(57)【要約】【課題】畝にマルチシートCを敷設するために、シート装着部２と、シート両裾部分を押さえる踏圧ローラ３と、シート両裾部分に土壌を被せる土掛けディスク４とを一定の機体１に備えたマルチシート敷設装置において、シートCの上面に皺や撓みを発生させないようにする。【解決手段】特に踏圧ローラ３の走行外周面に刺突部３２２を多数周設したマルチシート敷設装置とし、畝上に張られたマルチシートの裾部分を踏圧ローラ３が踏むと、刺突部３２２がシートCに突き刺さり、マルチシートを畝の両側に引っ張るようにして押さえ込み、その状態で土掛けを行なう。【選択図】図１
0003125381.tif 000002
【実用新案登録請求の範囲】
【請求項１】
牽引又は自走する所定機体に、ロール状マルチシートの装着部と、前記装着部に取り付けて引き出したマルチシートの両裾部分を押さえる踏圧ローラと、踏圧ローラの直後に踏圧ローラで押さえたマルチシート両裾部分に土壌を被せる土掛けディスクとを備えたマルチシート敷設装置において、踏圧ローラの走行外周面に刺突部を多数周設してなることを特徴とするマルチシート敷設装置。
【請求項２】
踏圧ローラが、少なくとも短円筒状の外輪部と、前記外輪部の外径が一致する外周端縁から刺突部を突設し、中心に車軸孔を設けた円形内板部とで形成されている請求項１記載のマルチシート敷設装置。
【請求項３】
踏圧ローラが、短円筒状の外輪部の内側端面に、土通過孔を有する円形内板部を溶着すると共に、円形内板部の外周端縁に添って内側に突出する突出縁部を設けて形成してなる請求項２記載のマルチシート敷設装置。
【考案の詳細な説明】
【技術分野】
【０００１】
本考案は、畝にマルチシートを敷設する装置に関するものである。
【背景技術】
【０００２】
野菜栽培等において、土温の保持や土壌消毒の効果を高めるために、畝に所謂マルチシートと称されるプラスチックフィルム製のシートを被せている。
【０００３】
前記のマルチシートを敷設するための敷設装置は、ロール状のシート（シート装着部）と、シート両裾部分を押さえる踏圧ローラと、シート両裾部分に土壌を被せる土掛けディスクとを一定の機体に備えたもので、前記の機体を人力牽引やトラクタ等による機械牽引をして、マルチシートで畝を覆い乍ら、踏圧ローラでシート両裾を押さえ、押さえた状態で機体進行によって土掛けディスクでシート両裾上に土を被せるようにしているものである（特許文献１，２）。
【０００４】
前記のマルチシートの敷設作業において、シートの裾が捲くれ上がった状態や、シート上面に皺や撓みが生じるとシート敷設効果が薄れてしまう。例えばシートの裾が捲れ上がっていれば、風によってシート全体の剥離が生じ易いし、また土壌消毒液の散布と同時にシート敷設作業を実施した場合には、捲れ上がったシートの裾から消毒液が蒸発してしまい、消毒効果が薄れてしまうし、シート上面に皺や撓みが生じていると、消毒液の気化ガスが当該箇所に溜り、農作業時に作業従事者が当該ガスを吸引してしまう危険性もある。
【０００５】
このシート敷設作業を確実に行う手段として、特許文献１においては、踏圧ローラと土掛けディスクとの間に土掛け直前までマルチシートの裾を押さえ続ける押え板を設けることを提案している。
【０００６】
特許文献２においては、土掛けディスクに代えて、シートの裾を畝の中に押し込む押し込みディスクを設けることが開示されている。
【０００７】
【特許文献１】特開平９−２４８０７１号公報。
【特許文献２】特許２９１９２４２号公報。
【考案の開示】
【考案が解決しようとする課題】
【０００８】
マルチシートの裾部分に確実な土掛けが実施されれば、シート裾の捲り上がり問題は解決されるが、シート上面の皺や撓みは、マルチシート自体の表面が滑らかであるために、踏圧ローラ、押え板、押し込みディスクとの間でスリップ（滑り）が生ずることが原因であり、確実な防止はできない。
【０００９】
そこで本考案は、踏圧ローラを改良することによって、前記の課題を解決するマルチシート敷設装置を提案したものである。
【課題を解決するための手段】
【００１０】
本考案に係るマルチシート敷設装置は、牽引又は自走する所定機体に、ロール状マルチシートの装着部と、前記装着部に取り付けて引き出したマルチシートの両裾部分を押さえる踏圧ローラと、踏圧ローラの直後に踏圧ローラで押さえたマルチシート両裾部分に土壌を被せる土掛けディスクとを備えたマルチシート敷設装置において、踏圧ローラの走行外周面に刺突部を多数周設してなることを特徴とするものである。
【００１１】
而してシート装着部にロール状のマルチシートを装着し、これを引き出して畝の上に被せ、機体を走行（自走又は牽引）させると、畝上に張られたマルチシートの裾部分を踏圧ローラが踏むと、刺突部がシートに突き刺さり、マルチシートを畝の両側に引っ張るようにして押さえ込み、その状態で土掛けがなされる。
【００１２】
また本考案に係るマルチシート敷設装置（請求項２）は、踏圧ローラが、少なくとも短円筒状の外輪部と、前記外輪部の外径が一致する外周端縁から刺突部を突設し、中心に車軸孔を設けた円形内板部とで形成されていることを特徴とするもので、刺突部を備えた車輪状の踏圧ローラを容易に製出することができるものである。
【００１３】
更に本考案に係るマルチシート敷設装置（請求項３）は、前記（請求項２）の踏圧ローラにおいて、短円筒状の外輪部の内側端面に、土通過孔を有する円形内板部を溶着すると共に、円形内板部の外周端縁に添って内側に突出する突出縁部を設けて形成してなることを特徴とするもので、刺突部の内外でマルチシート押さえがなされるので、刺突部によるシートへの突き刺し並びにシート押さえが確実に実施でき、且つシート裾部分被覆土壌が踏圧ローラ側に振りかかっても、土通過孔から踏圧ローラ内側に達するので、土掛け作業も効率的に実施されることになる。
【考案の効果】
【００１４】
本考案（請求項１）の構成は上記のとおりで、マルチシートの土掛けがマルチシートを両裾で引っ張った状態で行なわれるものであるから、敷設マルチシートの上面に皺や撓みが発生することを確実に防止するもので、特に土壌消毒と同時にシート敷設を行うときに、消毒液気化ガスを滞留させることがなく、より安全な農作業を実現するものである。
【考案を実施するための最良の形態】
【００１５】
次に本考案の実施形態について説明する。実施形態に示したマルチシート敷設装置は、機体１、機体１に組み込んだシート装着部２、踏圧ローラ３、及び土掛けディスク４を備えているものである。
【００１６】
機体１は、従前のマルチシート敷設装置と同様に、シート装着部２、踏圧ローラ３、及び土掛けディスク４が畝Ａの両側に配置されるような支持腕を両側に配置し、且つ支持腕の間隔を畝Ａの幅に対応できるように調整可能とし、更にトラクタ等の走行車両Ｂに装着するための連結機構や、走行車両Ｂに付設した他の機構（土壌消毒装置、農薬散布装置、施肥装置、播種装置等）への連結機構を備えたり、また必要に応じて走行車輪（従動車輪）や、自走機構を備えるものである。
【００１７】
シート装着部２及び土掛けディスク４も基本的には従前のマルチシート敷設装置と同様の構成で、シート装着部２は、前記の機体１の支持腕間にロール状のマルチシートＣを着脱自在に架設できるようにしたものであり、土掛けディスク４は、後述する踏圧ローラ３の直後配置され、進行方向に対して前開きの傾斜状態で回転自在に軸支されているものである。
【００１８】
本考案の特徴である踏圧ローラ３は、外輪部３１と、円形内板部３２と、突出縁部３３の３個の部材で形成されているものである。
【００１９】
外輪部３１は、金属板を短円筒の車輪形状としたものである。円形内板部３２は、前記の外輪部３１の内側端面に溶着して一体化したもので、その外径（外周端縁）３２１が外輪部３１の外径と一致し、当該外周端縁３２１から三角形状の刺突部３２２を適宜間隔で外周方向へ突設し、中心側の面においては、中心に車軸孔３２３を設けて、機体１に回転自在に装着できるようにし、且つ前記の車軸孔３２３の形成箇所から放射状のスポーク板３２４を設け、スポーク板部３２４の間に土通過孔３２５を形成したものである。
【００２０】
また突出縁部３３は、前記の円形内板部３２の外周端縁３２１に添って内側に突出するもので、細金属棒を溶着することで形成したものである。
【００２１】
而してシート装着部２、踏圧ローラ３及び土掛けディスク４を備えた機体１を所定の牽引車両Ｂに取り付け、シート装着部２にロール状のマルチシートＣを装着し、牽引車両Ｂを畝Ａに沿って走行させると共に、マルチシートＣをロールから引き出して畝Ａ上に被せると、畝Ａ上に張られたマルチシートＣの裾部分を踏圧ローラが踏みながら進行し、同時に土掛けディスク４でマルチシートＣの裾部分に被覆土壌Ｄを被せて行くものである。
【００２２】
特に本考案は、前記のシート敷設において踏圧ローラ３でマルチシートＣを踏んで進行する際に、刺突部３２２がシートに突き刺さり、マルチシートＣを畝Ａの両側に引っ張るようにして押さえ込み、その状態で土掛けがなされるので、畝Ａの上面マルチシートＣがしっかりと張られた状態で敷設されることになる。
【００２３】
また前記の踏圧ローラ３が、刺突部３２２の内外に外輪部３１及び突出縁部３３を設けたものであるから、外輪部３１及び突出縁部３３でマルチシートＣをしっかり押さえながら、刺突部３２２によるシートＣへ突き刺しが実施されるので、土掛け時におけるシート押さえが確実になされるものである。
【００２４】
更に土掛け作業において、土掛けディスク４で堀り上げられた被覆土壌Ｄは、先行する踏圧ローラ３側に振りかかっても、土通過孔３２５から踏圧ローラ３の内側に振り掛けられることになり、土掛け作業も確実に且つ効果的に実施されることになる。
【図面の簡単な説明】
【００２５】
【図１】本考案の実施形態の使用状態の説明図（後方斜視図）。
【図２】同踏圧ローラの斜視図。
【図３】同踏圧ローラの分解斜視図。
【図４】同踏圧ローラの使用状態の説明図。
【符号の説明】
【００２６】
１                機体
２                シート装着部
３                踏圧ローラ
３１              外輪部
３２              円形内板部
３２１            外周端縁
３２２            刺突部
３２３            車軸孔
３２４            スポーク板
３２５            土通過孔
３３              突出縁部
４                土掛けディスク
Ａ                畝
Ｂ                牽引車両
Ｃ                マルチシート
Ｄ                被覆土壌
【図１】
0003125381.tif 000003
【図２】
0003125381.tif 000004
【図３】
0003125381.tif 000005
【図４】
0003125381.tif 000006